(57)【要約】  【課題】抗菌性部材を用いることにより各所で簡単にかつ効率よく細菌の繁殖を防止できる飲料供給装置を提供する。  【解決手段】飲料貯留部の飲料を飲料給水系に導水して飲料給水系のノズル部２６から注出する飲料供給装置において、飲料給水系のノズル部２６に抗菌性部材を有するとともに、抗菌性部材に光を照射可能とする反射鏡１３を有する構造となっている。これにより、ノズル部２６に飲料が流水する際、抗菌性部材の活性効果により、飲料が制菌・殺菌され、また、ノズル部２６内での細菌の繁殖を防止することができる。また、抗菌性部材に光が照射されるため、抗菌性部材が活性化し制菌・殺菌効果が更に向上する。【選択図】  図４
2005137495.tif 000002
【特許請求の範囲】
【請求項１】
飲料貯留部の飲料を飲料給水系に導水して該飲料給水系のノズル部から注出する飲料供給装置において、
前記飲料給水系の少なくとも一部には抗菌性部材を有するとともに、前記抗菌性部材に光を照射可能にする光照射手段を有する
ことを特徴とする飲料供給装置。
【請求項２】
前記光照射手段は周囲光を抗菌性部材に向かって反射する反射鏡を有する
ことを特徴とする請求項１記載の飲料供給装置。
【請求項３】
前記光照射手段は抗菌性部材に向かって光を照射する、蛍光灯、紫外線ランプ、又は発光ダイオード等の光源を有する
ことを特徴とする請求項１記載の飲料供給装置。
【請求項４】
前記光照射手段は自発的に発光する自発性発光顔料又は周囲光を蓄え発光する蓄光性発光顔料からなり前記抗菌性部材に向かって発光する夜光体を有する
ことを特徴とする請求項１記載の飲料供給装置。
【請求項５】
飲料貯留部の飲料を飲料給水系に導水して該飲料給水系のノズル部から注出する飲料供給装置において、
前記飲料給水系の通水路の少なくとも一部には抗菌性部材を有するとともに、前記抗菌性部材に周囲光を透過可能にする光透過手段を有する
ことを特徴とする飲料供給装置。
【請求項６】
前記飲料給水系は飲料供給ボックス内に設置されるとともに、前記光透過手段は周囲光を抗菌性部材に向かって透過できるよう、該飲料供給ボックスの一部に光透過窓を有する
ことを特徴とする請求項５記載の飲料供給装置。
【請求項７】
前記飲料給水系は飲料供給ボックス内に設置されるとともに、前記光透過手段は周囲光を抗菌性部材に向かって透過できるよう、該飲料供給ボックスの側板を光透過部材で形成した
ことを特徴とする請求項５記載の飲料供給装置。
【請求項８】
前記抗菌性部材は、前記飲料給水系のうち、前記飲料貯留部に連結する入口部、該入口部と前記ノズル部との間の飲料配管部、又は、該ノズル部の少なくとも光透過可能な一つの箇所に有する
ことを特徴とする請求項１乃至請求項７の何れか一項記載の飲料供給装置。
【請求項９】
前記飲料給水系のうち、前記抗菌性部材が配置された箇所を透明部材で形成した
ことを特徴とする請求項８記載の飲料供給装置。
【請求項１０】
前記抗菌性部材は前記飲料給水系の通水路の内面にコーティングした抗菌性被膜で形成された
ことを特徴とする請求項８又は請求項９記載の飲料供給装置。
【請求項１１】
前記抗菌性部材は前記通水路内に配置され、基材に抗菌性被膜がコーティングされた通水性部材である
ことを特徴とする請求項１０記載の飲料供給装置。
【請求項１２】
前記抗菌性部材は前記飲料貯留部に設けた
ことを特徴とする請求項１乃至請求項７の何れか一項記載の飲料供給装置。
【請求項１３】
前記飲料貯留部は透明部材で形成された
ことを特徴とする請求項１２記載の飲料供給装置。
【請求項１４】
前記抗菌性部材は前記飲料貯留部の内面にコーティングした抗菌性被膜で形成された
ことを特徴とする請求項１２又は請求項１３記載の飲料供給装置。
【請求項１５】
前記抗菌性被膜は酸化チタン化合物である
ことを特徴とする請求項１０，１１，１４の何れか一項記載の飲料供給装置。
【請求項１６】
前記抗菌性被膜はリン酸チタニウム系化合物である
ことを特徴とする請求項１０，１１，１４の何れか一項記載の飲料供給装置。
【請求項１７】
前記抗菌性部材に前記自発性発光顔料又は前記蓄光性発光顔料を混入した
ことを特徴とする請求項８乃至請求項１６の何れか一項記載の飲料供給装置。
【発明の詳細な説明】
【技術分野】
【０００１】
本発明は、飲料水等を冷却又は加温して供給する飲料供給装置に関するものである。
【背景技術】
【０００２】
従来、この種の飲料供給装置として、特開２０００−８５８９３号公報に記載された発明が知られている。
【０００３】
この飲料供給装置においては、飲料水が貯留され飲料貯留部から冷水タンク及び温水タンクに飲料水が供給され、冷水タンクでは冷却装置により冷水が生成される一方、温水タンクではヒータにより温水が生成されている。ここで、冷水注出弁を開くときはノズルから冷水が注出され、温水注出弁を開くときはノズルから温水が注出される。
【０００４】
また、冷水タンク内の飲料水を循環させる一方、飲料水を紫外線ランプの紫外線により殺菌し、冷水タンク内で細菌の繁殖を防止している。
【特許文献１】特開２０００−８５８９３号公報
【発明の開示】
【発明が解決しようとする課題】
【０００５】
しかしながら、前記従来の飲料供給装置では、冷水タンク内の水の循環操作や冷水タンク内の紫外線殺菌する構造となっているが、水循環範囲外及び紫外線照射範囲外の場所、例えば冷水タンクとノズルとの間の飲料配管やノズル部分の箇所については細菌の繁殖を防止できなかった。また、制菌・殺菌する際は飲料水をポンプで循環するため、装置の大型化はもとよりランニングコストの面でも不利なものとなっていた。
【０００６】
本発明の目的は前記従来の課題に鑑み、抗菌性部材を用いることにより各所で簡単にかつ効率よく細菌の繁殖を防止できる飲料供給装置を提供することにある。
【課題を解決するための手段】
【０００７】
本発明は前記課題を解決するため、請求項１の発明は、飲料貯留部の飲料を飲料給水系に導水して該飲料給水系のノズル部から注出する飲料供給装置において、飲料給水系の少なくとも一部には抗菌性部材を有するとともに、抗菌性部材に光を照射可能にする光照射手段を有する構造となっている。
【０００８】
請求項１の発明によれば、飲料給水系の通水路の少なくとも一部には抗菌性部材を有する構造となっているので、通水路の内面に抗菌性部材をコーティングしたり、或いは、抗菌性部材を配置することにより簡単に飲料を制菌・殺菌でき、また、通水路での細菌の繁殖を防止することができる。また、抗菌性部材に光が照射されるため、抗菌性部材が活性化し制菌・殺菌効果が更に向上する。
【０００９】
なお、反射鏡により、周囲光を抗菌性部材に向かって反射するようにてもよいし（請求項２）、また、蛍光灯、紫外線ランプ、又は発光ダイオード等の光源から光を照射するようにしてもよい（請求項３）。更に、自発性発光顔料又は蓄光性発光顔料を塗布した夜光体を用いるときは、夜間であっても抗菌性部材に光を照射することができる（請求項４）。
【００１０】
請求項５の発明は、飲料貯留部の飲料を飲料給水系に導水して飲料給水系のノズル部から注出する飲料供給装置において、飲料給水系の通水路の少なくとも一部には抗菌性部材を有するとともに、抗菌性部材に周囲光を透過可能にする光透過手段を有する構造となっている。
【００１１】
請求項５の発明によれば、光透過手段により抗菌性部材に周囲光を照射することにより、これまた、抗菌性部材が活性化し制菌・殺菌効果が更に向上する。なお、飲料給水系は飲料供給ボックス内に設置されているときは、ボックスの一部に光透過窓を設ければ良いし（請求項６）、或いは、ボックスの周側壁全体を光透過部材で形成すれば良い（請求項７）。
【００１２】
請求項８の発明は、抗菌性部材は、飲料給水系のうち、飲料貯留部に連結する入口部、入口部とノズル部との間の飲料配管部、又は、ノズル部の少なくとも一箇所に有する構造となっている。
【００１３】
請求項８の発明によれば、細菌が繁殖し易い、入口部、飲料配管部或いはノズル部の全部又は一部に抗菌性部材がコーティング或いは配置され、細菌の繁殖が確実に防止される。なお、飲料給水系のうち、抗菌性部材が配置された箇所を透明部材で形成してもよいし（請求項９）、また、抗菌性部材は通水路の内面にコーティングした抗菌性被膜で形成してもよい（請求項１０）。また、抗菌性部材は通水路内に配置され、基材に抗菌性を有する物質がコーティングされた通水性部材であってもよい（請求項１１）。
【００１４】
また、抗菌性部材を飲料貯留部に設けても良いし（請求項１２）、また、飲料貯留部を透明部材で形成してもよいし（請求項１３）、更に、抗菌性部材を飲料貯留部の内面にコーティングするようにしても良い（請求項１４）。
【００１５】
なお、抗菌性被膜は酸化チタン系化合物であっても良いし（請求項１５）、また、リン酸チタニウム系化合物であっても良い（請求項１６）。ここで、リン酸チタニウム系化合物を用いるときは酸化チタン等の光触媒と異なり、光照射なしで活性効果（抗菌作用、消臭作用、防カビ作用）を発揮するもので、光照射を行なうことができない箇所でも優れた制菌・殺菌作用を発揮する。また、抗菌性部材に自発性発光顔料又は蓄光性発光顔料を混入するときは、抗菌性部材に光が直接的に作用することとなる（請求項１７）。
【発明の効果】
【００１６】
請求項１の発明によれば、簡単に飲料を制菌・殺菌でき、また、通水路での細菌の繁殖を防止することができる。また、抗菌性部材が活性化し制菌・殺菌効果が更に向上する。
【００１７】
請求項５の発明によれば、光透過手段により抗菌性部材に周囲光を照射することにより、これまた、抗菌性部材が活性化し制菌・殺菌効果が更に向上する。
【発明を実施するための最良の形態】
【００１８】
図１乃至図４は本発明に係る飲料供給装置の第１実施形態を示すもので、図１は飲料供給装置の外観斜視図、図２は飲料供給装置の水回路、図３(a)(b)はノズル部の構造を示す断面図、図４は飲料供給装置の取り出し口部分を示す正面図である。
【００１９】
まず、図１を参照して飲料供給装置の外観を説明する。飲料供給装置は外側が縦長の飲料供給ボックス１で囲われており、上部ボックス部１１の前面には前面開口の取り出し口１１ａが形成されている。この取り出し口１１ａの内部にはカップＡの受け板１２を有し、受け板１２にはカップＡが保持される保持穴１２ａが２個形成されている。受け板１２は透明の樹脂材料で形成されている。受け板１２の裏面には、図４に示すように、光照射手段（反射鏡１３）が取り付けられており、受け板１２の上方から照射された周囲光、例えば取り出し口１１ａの前面から入射した室内照明光を、取り出し口１１ａの上部に向かって反射するようになっている。受け板１２の上方には後述する冷水用及び温水用の２個のノズル部２６，２７が配置され、冷水用のノズル部２６の下端が反射鏡１３と上下に対向する位置となっている。受け板１２の下方には排水板１４が設置されており、排水板１４の排水孔１４ａから廃棄飲料水が排水される。なお、下部ボックス部１５には冷却用の各種機器等が設置されている。
【００２０】
次に、図２を参照して飲料供給ボックス１の内部に設置された飲料供給ユニット２の概略構成を説明する。飲料供給ユニット２は、水道水、ミネラル水、ジュース、炭酸飲料等の飲料を貯留する飲料貯留部１０と、飲料貯留部１０に連結する飲料給水系２０とを有している。なお、飲料供給ユニット２は、これらの各部１０，２０以外にも冷却装置等の各機器が設定されているが、図２には本発明に関係する構造のみを示している。
【００２１】
飲料貯留部１０は例えばミネラル水を貯留した容器であり、ボトルやタンクが用いられている。また、飲料貯留部１０はその注水口１０ａを逆さにして設置されており、この注水口１０ａからミネラル水を注出するようになっている。
【００２２】
飲料給水系２０は、上下の導水配管２１１，２１２ａ，２１２ｂからなる飲料配管部２１と、冷水生成槽２２と、温水生成槽２３と、開閉弁２４，２５と、ノズル部２６，２７から構成されている。これらの各構成部品２１〜２７は内側に図３に示す通水路２０ａを有し、通水路２０ａを通じてミネラル水を通水するようになっている。
【００２３】
上部導水配管２１１の上端は飲料貯留部１０に連結され、途中で分岐して下端が冷水生成槽２２及び温水生成槽２３に連結されている。各下部導水配管２１２ａ，２１２ｂは、各々冷水生成槽２２及び温水生成槽２３の上端に連結され、下端がノズル部２６，２７に連結されている。また、各下部導水配管２１２ａ，２１２ｂの途中には開閉弁２４，２５が設置されている。開閉弁２４，２５は手動又は自動を問わないものであり、手動式で構成されるときは開閉コックであり、自動式で構成されるときは図示しない制御装置の給水・停水信号で開閉される電磁弁構造となっている。
【００２４】
冷水生成槽２２の槽本体２２１の外面にはコイル式蒸発器２２２が設置されており、コイル式蒸発器２２２に図示しない冷却装置から冷媒を循環し、槽本体２２１内を冷却するようになっている。また、冷水生成槽２２には前述したように上部導水配管２１１が連結されているため、上部導水配管２１１を通じて飲料貯留部１０の飲料水が供給される。これにより、槽本体２２１内でミネラル水が冷却される。また、冷水生成槽２２には前述したように下部導水配管２１２ａが連結されているため、開閉弁２４が開動作するとき冷水生成槽２２からミネラル水が導水され、ノズル部２６を通じて受け板１２上のカップＡに注出されることとなる。
【００２５】
温水生成槽２３は槽本体２３１内にヒータ２３２が設置されており、ヒータ２３２により槽本体２３１内の水を加温するようになっている。また、温水生成槽２３にも上部導水配管２１１を通じて飲料水が供給され、開閉弁２５が開動作するとき温水生成槽２３からミネラル水が導水され、ノズル部２７を通じて受け板１２上のカップＡに注出されることとなる。
【００２６】
以上のように構成された飲料供給装置において、冷水用のノズル部２６の通水路２０ａ内に抗菌性部材１００を配置した構造となっている。抗菌性部材１００は基材として例えば、セラミック、ゼオライト等の多孔質材、発泡金属、発泡樹脂等の発泡材や繊維で形成されたフィルター材を使用し、多孔質材や発泡材やフィルター材に抗菌性を有する物質である、酸化チタン等の光触媒をコーティングしたものである。
【００２７】
酸化チタンのコーティング方法は次の要領で行なう。即ち、例えばフィルター材を酸化チタンの溶液に浸漬し、酸化チタンをフィルター材に含浸させる。その後、フィルター材を当該溶液から引き上げ乾燥させる。乾燥後、数百℃の温度で所定時間焼成を行なう（抗菌剤の種類によっては、この工程を行わないものもある）。これにより、酸化チタンが抗菌性被膜となってフィルター材にコーティングされる。
【００２８】
また、ノズル部２６の開口端２６１には抗菌性部材１００を保持する保持リング１０１が取り付けられている。保持リング１０１は中央を開口するとともに、周縁にはネジが螺刻されている。また、ノズル部２６の外周面で開口端２６１の近傍には同じくネジが螺刻されている。図３(a)に示すように、保持リング１０１をノズル部２６にネジ込むことにより保持リング１０１が取り付けられ、この保持リング１０１により抗菌性部材１００をノズル部２６内に保持することができる。一方、保持リング１０１を弛緩してノズル部２６から外すときは、抗菌性部材１００をノズル部２６から取り出すことができる。なお、温水用のノズル部２７については、図示していなが、冷水用のノズル部２６と同様の構造で抗菌性部材が設置されている。
【００２９】
本実施形態によれば、ミネラル水がノズル部２６の通水路２０ａ内に流れ、更に抗菌性部材１００を通過する際、或いは、ミネラル水がノズル部２６に滞留する際、多孔質材やフィルター材によりミネラル水に含有する塵埃が除去されることはもとより、ミネラル水内に浮遊する細菌が抗菌性部材１００の活性効果により制菌・殺菌等される。
【００３０】
また、開口端２６１を通じてノズル部２６内に微生物が侵入するため、ノズル部２６内は最も細菌が繁殖し易い場所となっている。本実施形態では、まさに、このようなノズル部２６内に抗菌性部材１００を配置しているため、抗菌性部材１００の活性効果がノズル部２６にも作用し、ノズル部２６における細菌の繁殖が確実に防止される。
【００３１】
なお、温水用のノズル２７についても前記と同様の作用を発揮することはいうまでもない。
【００３２】
更に、取り出し口１１ａに入射した光が、図４の矢印に示すように、反射鏡１３によって冷水用のノズル部２６の下端開口に向かって照射されるため、冷水用のノズル部２６に設置された抗菌性部材１００はその活性効果が更に向上する。
【００３３】
図５は本発明に係る飲料供給装置の第２実施形態を示すものである。なお、前記第１実施形態と同一構成部分は同一符号を用い、同一構成部分の説明は省略する。本実施形態は前記反射鏡１３に代えて透明の取り付け板１２の下方に光源、例えば蛍光灯１６を設置したものである。また、蛍光灯１６はノズル部２６，２７の両者に対向するよう配置しており、蛍光灯１６の照射光が図５に示すようにノズル部２６，２７の下端開口に照射されるようになっている。
【００３４】
本実施形態によれば、ノズル部２６，２７の両者に蛍光灯１６の光が直接に照射されるため、各ノズル部２６，２７の抗菌性部材１００が更に活性化され、殺菌・制菌効果が更に向上する。なお、その他の構成、作用は前記第１実施形態と同様である。
【００３５】
図６は本発明に係る飲料供給装置の第３実施形態を示すものである。なお、前記第２実施形態と同一構成部分は同一符号を用い、同一構成部分の説明は省略する。前記第２実施形態では蛍光灯１６を取り付け板１２の下方にのみ設置しているが、本実施形態はこの蛍光灯１６とは別個に他の蛍光灯１７をノズル部２６，２７の上方、例えば取り出し口１１ａの天井壁１１ｂの上方に設置し、この天井壁１１ｂ及びノズル部２６，２７を透明部材で形成している。
【００３６】
本実施形態によれば、ノズル部２６，２７が上下の蛍光灯１６，１７で照射されるため、取り出し口１１ａ内の照度が高くなり、ノズル部２６，２７の殺菌・制菌効果が更に向上する。なお、その他の構成、作用は前記第２実施形態と同様である。
【００３７】
図７は本発明に係る飲料供給装置の第４実施形態を示すものである。なお、前記第１実施形態と同一構成部分は同一符号を用い、同一構成部分の説明は省略する。本実施形態は取り出し口１１ａの背面壁１１ｃの一部に透明の光透過窓１１ｄを形成するとともに、背面壁１１ｃの裏側に支持台１８ａに設置された発光ダイオード１８を有している。また、発光ダイオード１８は実線矢印に示すようにその投光が光透過窓１１ｄを通じてノズル部２６の下端開口に届くよう配置されている。
【００３８】
本実施形態によれば、発光ダイオード１８の光によりノズル部２６の抗菌性部材１００が活性化され、殺菌・制菌効果が更に向上する。なお、その他の構成、作用は前記第１実施形態と同様である。
【００３９】
図８は本発明に係る飲料供給装置の第５実施形態を示すものである。なお、前記第１実施形態と同一構成部分は同一符号を用い、同一構成部分の説明は省略する。
【００４０】
上部ボックス部１１に形成された取り出し口１１ａは各ノズル部２６，２７が隠蔽されるよう多少小さく形成した方がよい。なぜなら、取り出し口１１ａを通じてノズル部２６，２７に手を触れる場合等は、人の手などを通じてノズル部２６，２７で細菌が繁殖するおそれがあるからである。
【００４１】
このような点に着目し、本実施形態に係る飲料供給装置は、取り出し口１１ａを小さくして各ノズル部２６，２７を正面から隠蔽するようにしている。一方、各ノズル部２６，２７を隠蔽する分、室内照明光を効率よく取ることができないため、本実施形態では上部ボックス部１１の天井部１１ｅに透視可能な光透過手段（受光窓１１ｆ）を設置している。さらに、各ノズル部２６，２７を透明部材で形成している。
【００４２】
本実施形態によれば、室内照射光が受光窓１１ｆを通じてノズル部２６，２７に照射されるため、各ノズル部２６，２７の抗菌性部材１００が活性化され、殺菌・制菌効果が更に向上する。なお、その他の構成、作用は前記第１実施形態と同様である。
【００４３】
図９は本発明に係る飲料供給装置の第６実施形態を示すものである。なお、前記第５実施形態と同一構成部分は同一符号を用い、同一構成部分の説明は省略する。
【００４４】
前記第５実施形態では室内照明光を上部ボックス部１１の受光窓１１ｆを通じて取り入れているが、本実施形態は上部ボックス部１１の周側壁全てを光透過部材で形成している。本実施形態によれば、上部ボックス部１１の全体から室内照明光を取り入れることができ、抗菌性部材１００が活性化され、殺菌・制菌効果が更に向上する。その他の構成、作用は前記第５実施形態と同様である。
【００４５】
なお、前記各実施形態では光源として蛍光灯１６や発光ダイオード１８によりノズル部２６，２７に光を照射しているが、これに限るものではなく、例えば紫外線ランプを使用するようにしてもよい。
【００４６】
また、光源として夜光体を使用するようにしてもよい。夜光体として、自発的に発光する自発性発光顔料を使用してもよいし、また、室内照明光を蓄え発光する蓄光性発光顔料、例えば硫化亜鉛に銅を添加した顔料やストロンチウムアルミネートに希土類金属を結合させた顔料を使用するようにしてもよい。
【００４７】
このように、夜光体を使用し、夜光体からノズル部２６，２７に光を照射することにより、夜間でも抗菌性部材１００が活性化され、殺菌・制菌効果を発揮させることができる。
【００４８】
次に、抗菌性部材の設置構造の変形例を説明する。なお、以下の変形例で説明されているノズル部２６は冷水用であるが、図示しない温水用のノズル部２７についても同様の構造となっている。
【００４９】
図１０(a)(b)は第１変形例を示すものである。なお、前記第１実施形態に係る抗菌性部材の取り付け構造と同一構成部分は同一符号を用い、同一構成部分の説明は省略する。
【００５０】
本変形例は、抗菌性部材１１０は基材として所定間隔をおいて渦巻き状に形成されたステンレス鋼板が使用されている。また、基材にコーティングされる抗菌性被膜はリン酸チタニウム系化合物が用いられている。
【００５１】
本変形例によれば、ミネラル水がノズル部２６の通水路２０ａ内に流れ、更に抗菌性部材１１０の板間の隙間を通過する際、或いは、ミネラル水がノズル部２６に滞留する際、ミネラル水に浮遊する細菌が抗菌性部材１１０の活性効果により制菌・殺菌等される。なお、その他の作用は前記第１実施形態にかかる抗菌性部材の取り付け構造と同様である。
【００５２】
図１１(a)(b)は第２変形例を示すものである。なお、前記第１変形例と同一構成部分は同一符号を用い、同一構成部分の説明は省略する。
【００５３】
本変形例は、抗菌性部材１２０は基材として所定間隔をおいて渦巻き状に形成されたステンレス鋼の網板が使用されている。また、基材にコーティングされる抗菌性被膜は前記第１変形例と同様にリン酸チタニウム系化合物が用いられている。
【００５４】
本変形例によれば、ミネラル水がノズル部２６の通水路２０ａ内に流れ、更に抗菌性部材１２０の網目及び板間の隙間を通過する際、或いは、ミネラル水がノズル部２６に滞留する際、ミネラル水に浮遊する細菌が抗菌性部材１２０の活性効果により制菌・殺菌等される。また、ミネラル水に浮遊する塵埃が抗菌性部材１２０により捕捉され、浄化されたミネラル水が注出される。なお、その他の作用は前記第１変形例と同様である。
【００５５】
図１２(a)(b)は第３変形例を示すものである。なお、前記第１変形例と同一構成部分は同一符号を用い、同一構成部分の説明は省略する。
【００５６】
本変形例は、抗菌性部材１３０は基材としてワイヤ状のステンレス鋼材を下端開口の筒体になるよう編んだものが使用されている。また、基材にコーティングされる抗菌性被膜は前記第１変形例と同様にリン酸チタニウム系化合物が用いられている。
【００５７】
本変形例によれば、ミネラル水がノズル部２６の通水路２０ａ内に流れ、更に抗菌性部材１３０の網目を通って抗菌性部材１３０の内部を通過する際、或いは、ミネラル水がノズル部２６に滞留する際、ミネラル水に浮遊する細菌が抗菌性部材１３０の活性効果により制菌・殺菌等される。また、ミネラル水に浮遊する塵埃が抗菌性部材１３０により捕捉され、浄化されたミネラル水が注出される。なお、その他の作用は前記第１変形例と同様である。
【００５８】
図１３(a)(b)は第４変形例を示すものである。なお、前記第１変形例と同一構成部分は同一符号を用い、同一構成部分の説明は省略する。
【００５９】
本変形例は、抗菌性部材１４０は基材として前記第３変形例の抗菌性部材を逆に配置したものである（上端開口の筒体となるよう編んだもの）。また、基材のワイヤがノズル部２６ａの内面に沿って折り曲げられ、折り曲げられたワイヤ１４１がノズル部２６の内面に圧接した状態となっている。これにより、抗菌性部材１４０がノズル部２６内に保持されるため、前記各変形例に係る保持リングが不要となっている。基材にコーティングされる抗菌性被膜は前記第１変形例と同様にリン酸チタニウム系化合物が用いられている。
【００６０】
本変形例によれば、ミネラル水がノズル部２６の通水路２０ａ内に流れ、更に抗菌性部材１４０の網目を通って抗菌性部材１４０の内部を通過する際、或いは、ミネラル水がノズル部２６に滞留する際、ミネラル水に浮遊する細菌が抗菌性部材１４０の活性効果により制菌・殺菌等される。また、ミネラル水に浮遊する塵埃が抗菌性部材１４０により捕捉され、浄化されたミネラル水が注出される。なお、その他の作用は前記第１変形例と同様である。
【００６１】
図１４(a)(b)は第５変形例を示すものである。なお、前記第１変形例と同一構成部分は同一符号を用い、同一構成部分の説明は省略する。
【００６２】
本変形例は、抗菌性部材１５０は基材として複数段に配置された仕切板１５１を用いている。各仕切板１５１には所定間隔をおいて多数の通水孔１５２が穿設されている。また、各仕切板１５１は環状の支持板１５３で上下に間隔をおいて配置されている。また、各仕切板１５１は上下に隣接する仕切板１５１の各通水孔１５２が互いに対向しないよう配置されている。基材にコーティングされる抗菌性被膜は前記第１変形例と同様にリン酸チタニウム系化合物が用いられている。
【００６３】
本変形例によれば、ミネラル水がノズル部２６の通水路２０ａ内に流入し、各仕切板１５１の通水孔１５２を上流から下流に向かって通過する際、或いは、ミネラル水がノズル部２６に滞留する際、ミネラル水に浮遊する細菌が抗菌性部材１５０の活性効果により制菌・殺菌等される。
【００６４】
また、上下に隣接する各仕切板１５１の通水孔１５２が互いに対向しないよう配置されているため、図１４(a)の矢印に示すように、ミネラル水が蛇行して流れ、ミネラル水と抗菌性部材１５０との接触時間が長くなる。これにより、ミネラル水の制菌・殺菌効果を向上させることができる。
【００６５】
なお、ミネラル水と抗菌性部材１５０との接触時間を長くする方法として、本変形例以外で、ノズル部２６内の中央寄りの流速が早く、周側面寄りの流速が遅くなるので流速が均一となるような手段を採用してもよい。例えば、図示しないが、中央寄りの通水孔１５２の径を小さくし、周側面寄りの通水孔１５２を大きくしてミネラル水の流速を均一化させ、これにより、ミネラル水全体に活性効果が及ぶようにしてもよい。その他の作用は前記第１変形例と同様である。
【００６６】
図１５(a)(b)は第６変形例を示すものである。なお、前記第１変形例と同一構成部分は同一符号を用い、同一構成部分の説明は省略する。
【００６７】
本変形例は、抗菌性部材１６０は基材として隔壁１６１で前後左右に仕切られた複数の流路１６２を有する通水体で構成されている。また、各流路１６２は上下に貫通しており、ミネラル水が各流路１６２に分岐して流通するようになっている。また、基材にコーティングされる抗菌性被膜は前記第１変形例と同様にリン酸チタニウム系化合物が用いられている。
【００６８】
本変形例によれば、ミネラル水がノズル部２６の通水路２０ａ内に流れ、更に分岐して各流路１６２内を通過する際、或いは、ミネラル水がノズル部２６に滞留する際、ミネラル水に浮遊する細菌が抗菌性部材１６０の活性効果により制菌・殺菌等される。また、ミネラル水が多数の流路１６２に分岐されるため、ミネラル水と抗菌性被膜との接触面積が大きくなり、活性効果が向上する。なお、各流路１６２の流通断面が略四角形状に形成されているが、円形状、六角形状等何れの形状であってもよい。その他の作用は前記第１変形例と同様である。
【００６９】
図１６及び図１７は第７変形例を示すものである。なお、前記第１変形例と同一構成部分は同一符号を用い、同一構成部分の説明は省略する。
【００７０】
前記各変形例では各抗菌性部材１１０〜１６０として基材に抗菌性被膜をコーティングしたものを用い、また、各抗菌性部材１１０〜１６０を飲料給水系２のノズル部２６に配置した例が説明されている。これに対して、本変形例は飲料給水系２０の飲料配管部２１に抗菌性部材１７０が形成されている。
【００７１】
即ち、飲料配管部２１の上部導水配管２１１の内面２１１ａにリン酸チタニウム系化合物をコーティングし、内面２１１ａに抗菌性被膜（抗菌性部材１７０）を形成している。また、上部導水配管２１１は外側に突出した環状の突出部２１１ｂを有している。突出部２１１ｂは上下に間隔をおいて複数配置しており、これにより、上部導水配管２１１の内面２１１ａに多数の凹凸が形成される。なお、抗菌性部材１７０が配置された箇所の飲料配管部２１は透明部材で形成されおり、光が透過できるようになっている。
【００７２】
本変形例によれば、ミネラル水が上部導水配管２１１を通過する際、ミネラル水に浮遊する細菌が抗菌性部材１７０の活性効果により制菌・殺菌等される。また、上部導水配管２１１の内面２１１ａが凹凸形状となっているため、ミネラル水と抗菌性部材１７０との接触面積が大きくなり、ミネラル水を確実に制菌・殺菌等できる。更に、上部導水配管２１１の内面２１１ａが抗菌性部材１７０で被膜されているため、上部導水配管２１１の内面２１１ａでの細菌の繁殖が抑制される。なお、上部導水配管２１１に抗菌性部材１７０を形成しているが、この抗菌性部材１７０を上部導水配管２１１の最上部、即ち、飲料貯留部１０に連結する入口部に設けるようにしても良い。また、下部導水配管２１２に抗菌性部材１７０を形成するようにしてもよい。
【００７３】
図１８は第８変形例を示すものである。なお、前記第７変形例と同一構成部分は同一符号を用い、同一構成部分の説明は省略する。
【００７４】
前記第７変形例に係る飲料供給装置では、抗菌性被膜が形成された上部導水配管２１１の内面２１１ａが凹凸形状に形成されているが、本変形例に係る飲料供給装置は上部導水配管２１１の内壁２１１ｃに多数の有底孔２１１ｄを形成し、内面２１１ａに抗菌性部材１８０（リン酸チタニウム系化合物）をコーティングしている。
【００７５】
本変形例によれば、内壁２１１ｃに形成された多数の有底孔２１１ｄによりミネラル水と抗菌性被膜との接触面積が大きくなり、ミネラル水を確実に制菌・殺菌等できる。なお、その他の構成、作用は前記第７変形例と同様である。
【００７６】
なお、前記各実施形態では飲料貯留部１０からミネラル水を上部から自然流下する例を示したが、飲料貯留部１０を外部に別個に設置し、図示しないポンプでミネラル水を冷水生成槽２２及び温水生成槽２３に給送する飲料供給装置であってもよい。
【００７７】
また、前記各実施形態及び変形例ではノズル部２６，２７や飲料配管部２１に抗菌性部材を設置又は抗菌性被膜をコーティングする例を示したが、これに限るものではなく、図示しないが飲料貯留部１０の内面に抗菌性皮膜をコーティングするようにしてもよい。
【００７８】
更に、抗菌性部材１００〜１８０に自発性発光顔料又は蓄光性発光顔料を混入するときは、抗菌性部材１００〜１８０に光が直接的に作用し、抗菌性部材１００〜１８０が活性化することとなる。
【００７９】
更にまた、各実施形態のうちの一部の実施形態に係るノズル部２６，２７については透明部材で形成するようになっているが、これに限らず各実施形態のすべのノズル部２６，２７を透明部材で形成するようにしても良い。これにより、ノズル部２６，２７の周壁から光が透過し、抗菌性部材１００〜１６０の活性化が効率よく行われる。
【図面の簡単な説明】
【００８０】
【図１】第１実施形態に係る飲料供給装置の外観斜視図
【図２】第１実施形態に係る飲料供給装置の水回路
【図３】第１実施形態に係るノズル部の構造の一例を示すもので、図３(a)はノズル部の縦断面図、図３(b)は図３(a)のＡ−Ａ線矢印方向の横断面図
【図４】第１実施形態に係る飲料供給装置の取り出し口部分を示す正面図
【図５】第２実施形態に係る飲料供給装置の取り出し口部分を示す正面図
【図６】第３実施形態に係る飲料供給装置の取り出し口部分を示す正面図
【図７】第４実施形態に係る飲料供給装置の取り出し口部分を示す断面図
【図８】第５実施形態に係る飲料供給装置の上部ボックス部を示す斜視図
【図９】第６実施形態に係る飲料供給装置の上部ボックス部を示す斜視図
【図１０】第１変形例すもので、図１０(a)はノズル部の縦断面図、図１０(b)は図１０(a)のＢ−Ｂ線矢印方向の横断面図
【図１１】第２変形例を示すもので、図１１(a)はノズル部の縦断面図、図１１(b)は図１１(a)のＣ−Ｃ線矢印方向の横断面図
【図１２】第３変形例を示すもので、図１２(a)はノズル部の縦断面図、図１２(b)は図１２(a)のＤ−Ｄ線矢印方向の横断面図
【図１３】第４変形例を示すもので、図１３(a)はノズル部の縦断面図、図１３(b)は図１３(a)のＥ−Ｅ線矢印方向の横断面図
【図１４】第５変形例を示すもので、図１４(a)はノズル部の縦断面図、図１４(b)は図１４(a)のＦ−Ｆ線矢印方向の横断面図
【図１５】第６変形例を示すもので、図１５(a)はノズル部の縦断面図、図１５(b)は図１５(a)のＧ−Ｇ線矢印方向の横断面図
【図１６】第７変形例に係る上部導水配管を示す正面図
【図１７】第７変形例に係る上部導水配管の拡大断面図
【図１８】第８変形例に係る上部導水配管の拡大断面図
【符号の説明】
【００８１】
１…飲料供給ボックス、１０…飲料貯留部、１３…反射鏡、１７，１６…蛍光灯、１８…発光ダイオード、２０…飲料給水系、２０ａ…通水路、２１…飲料配管部、２２…冷水生成槽、２３…温水生成槽、２６，２７…ノズル部、１００，１１０，１２０，１３０，１４０，１５０，１６０，１７０，１８０…抗菌性部材。
【図１】
2005137495.tif 000003
【図２】
2005137495.tif 000004
【図３】
2005137495.tif 000005
【図４】
2005137495.tif 000006
【図５】
2005137495.tif 000007
【図６】
2005137495.tif 000008
【図７】
2005137495.tif 000009
【図８】
2005137495.tif 000010
【図９】
2005137495.tif 000011
【図１０】
2005137495.tif 000012
【図１１】
2005137495.tif 000013
【図１２】
2005137495.tif 000014
【図１３】
2005137495.tif 000015
【図１４】
2005137495.tif 000016
【図１５】
2005137495.tif 000017
【図１６】
2005137495.tif 000018
【図１７】
2005137495.tif 000019
【図１８】
2005137495.tif 000020